(57)【要約】【課題】地上ディジタル放送波を受信する場合に、受信信号の周波数にディジタル系のクロック信号の高調波の影響が及ぶのを回避する。【解決手段】ディジタル放送受信機は、１３のセグメントからなるディジタル放送波を受信するアンテナ３及びチューナー部４と、所定の周波数のクロック信号を生成するものであり、特定のセグメント、その高調波が、例えば部分受信に係るセグメントの周波数とは異なる周波数となるクロック信号を生成し出力するクロック生成部２と、視聴を所望とするチャンネルを選局する操作部１８と、上記クロック信号に基づいて上記選局手段により選局されたチャンネルの放送を視聴するように制御するＣＰＵ１とを備えている。【選択図】      図１
2008283362.tif 000002
【特許請求の範囲】
【請求項１】
複数のセグメントからなるディジタル放送波を受信する受信手段と、
所定の周波数のクロック信号を生成するもので、当該周波数の高調波が特定のセグメントの周波数とは異なる周波数となるクロック信号を生成し出力するクロック生成手段と、
視聴を所望とするチャンネルを選局するための選局手段と、
上記クロック信号に基づいて上記選局手段により選局されたチャンネルの放送を視聴するように制御する制御手段とを備えた
ことを特徴とするディジタル放送受信機。
【請求項２】
上記クロック生成手段は、その周波数の高調波が一の部分受信にかかるセグメントの周波数と他の部分受信に係るセグメントの周波数との間に位置する周波数となるクロック信号を生成し出力する
ことを特徴とする請求項１に記載のディジタル放送受信機。
【請求項３】
上記クロック生成手段は、その周波数の高調波が部分受信に係るセグメントの周波数とは異なる周波数となるクロック信号を生成し出力する
ことを特徴とする請求項１に記載のディジタル放送受信機。
【請求項４】
上記クロック生成手段は、その周波数の高調波が複数のチャンネルに対応した部分受信に係るセグメントの周波数とは異なる周波数となるクロック信号を生成し出力する
ことを特徴とする請求項１に記載のディジタル放送受信機。
【請求項５】
上記クロック生成手段は、その周波数の高調波が上記選局手段により選局されたチャンネルに対応した部分受信に係るセグメントの周波数とは異なる周波数となるクロック信号を生成し出力する
ことを特徴とする請求項１に記載のディジタル放送受信機。
【発明の詳細な説明】
【技術分野】
【０００１】
本発明は、例えばディジタル放送受信機に係り、特にディジタル系の高調波の悪影響を回避するための技術分野に関する。
【背景技術】
【０００２】
従来、地上ディジタル放送のテレビ番組を視聴できるディジタル放送受信機について種々の技術開発がなれている。そして、今日では、携帯電話機等の携帯端末で視聴できる１セグメント放送（以下、１セグ放送と略記する）、つまり地上ディジタル放送の携帯端末向けサービスが開始されている。ここで、「セグメント」とは、ディジタル情報を伝送するための周波数帯域の区分単位であり、地上ディジタル放送では、１チャンネル分の帯域幅６ＭＨｚを１４等分して、そのうちの１３のブロックを使い放送を行い、他の１のブロックを隣接するチャンネルとの混信を防止するガードバンドとして用いている。これら各々のブロックが「セグメント」と称されている。
【０００３】
しかるに、このような従来のディジタル放送受信機では、受信信号の周波数にディジタル系のクロック信号の高調波が現れ、妨害を与えていた。
【０００４】
尚、特許文献１では、高い周波数のシステムクロックの高調波成分が放送波受信時に受信信号帯域内の信号として比較的高いレベルで飛び込み、受信障害を起こすことを解消すべく、周波数の高い第１のシステムクロックと、受信信号帯域よりも十分周波数の低い第２のシステムクロックを使い分ける技術が開示されている。
【０００５】
【特許文献１】特開平４−１２９４３１号公報
【発明の開示】
【発明が解決しようとする課題】
【０００６】
しかしながら、ディジタル放送受信機で１セグ放送を受信する場合においては、例えば映像信号をデコードする処理等が重いためにディジタル系の回路が大規模となり、当該回路から輻射される妨害波は、放送波のレベルに対して非常に大きくなる。
【０００７】
このため、従来技術のような妨害波対策を施したとしても、１セグの放送波への悪影響を完全には回避することができなかった。
【０００８】
そこで、本発明は、地上ディジタル放送波を受信する場合に、受信信号の周波数にディジタル系のクロック信号の高調波の影響が及ぶのを回避することを課題とする。
【課題を解決するための手段】
【０００９】
本発明の第１の観点によるディジタル放送受信機は、受信手段が複数のセグメントからなるディジタル放送波を受信し、クロック生成手段が、所定の周波数のクロック信号を生成するもので、当該周波数の高調波が特定のセグメントの周波数とは異なる周波数となるクロック信号を生成し出力する。そして、選局手段が、視聴を所望とするチャンネルを選局するよう促し、制御手段が、上記クロック信号に基づいて上記選局手段により選局されたチャンネルの放送を視聴するように制御するように構成した。
【００１０】
従って、特定のセグメントの周波数へのクロック信号の高調波の悪影響が回避される。
【発明の効果】
【００１１】
本発明によれば、地上ディジタル放送波を受信する場合に、受信信号の周波数にディジタル系のクロック信号の高調波の影響が及ぶのを回避するディジタル放送受信機を提供することができる。
【発明を実施するための最良の形態】
【００１２】
以下、図面を参照して、本発明を実施するための最良の実施の形態（以下、単に実施の形態と称する）について詳細に説明する。
【００１３】
この実施の形態に係るディジタル放送受信機は、受信信号の周波数にディジタル系の信号の高調波が現れ妨害を与えていたことに鑑みて、例えば高調波が１セグの放送波と放送波との略中央に位置するようにクロック周波数を選択し、妨害を排除するものである。
【００１４】
ここで、取り扱われる周波数帯域は、ディジタル放送の受信周波数である、１３ｃｈ〜６２ｃｈのＵＨＦ帯（周波数範囲；４７０ＭＨｚ〜７７０ＭＨｚ）であるものとする。
【００１５】
図１には本発明の一実施の形態に係るディジタル放送受信機の構成を示し説明する。
【００１６】
この図１に示されるように、アンテナ３を備えたチューナー部４は、直交周波数分割多重(OFDM; Orthogonal Frequency Division Multiplexing)復調部５を介して、ＴＳ(Transport Stream)デコーダ７に接続されている。ＴＳデコーダ７は、音声デコーダを介して音声出力部９に接続され、映像デコーダ１０、表示処理部１１を介して表示部１２に接続されている。全体の制御を司るＣＰＵ(Central Processing Unit)１は、制御バス２０を介して、クロック生成部２（図２で後述）、ＲＯＭ(Read Only Memory)１３、ＲＡＭ(Random Access Memory)１４、ＥＥＰＲＯＭ(Electrically Erasable Programmable Read-Only Memory)１５と通信自在に接続されている。
【００１７】
さらに、ＣＰＵ１は、チューナーインタフェース（以下、単にＩ／Ｆと略記する）６を介してＯＦＤＭ復調部５と接続され、通信Ｉ／Ｆ１６を介して通信部１９と接続され、キーＩ／Ｆ１７を介して操作部１８と通信自在に接続されている。
【００１８】
このような構成において、ＣＰＵ１は、ＲＯＭ１３に格納された制御プログラムに基づいて全体を制御するための処理を実行する。このＣＰＵ１は、例えば制御手段として機能する。ＲＡＭ１４は、各種処理のための一時記憶領域として用いられる。ＥＥＰＲＯＭ１５は、選局された放送局の情報等を保持する。各部は、クロック生成部２が生成するクロック信号に同期して各処理を実行する。このクロック生成部２は、例えばクロック生成手段として機能するものである。アンテナ３は、１３個のセグメントに分割したＯＦＤＭ方式の地上ディジタル放送波を受信する。ＣＰＵ１は、操作部１８の操作により選局された放送局の情報をキーＩ／Ｆ１７を介して検出し、当該放送局の情報をチューナーＩ／Ｆ６を介してＯＦＤＭ復調部５、更にはチューナー部４に通知する。チューナー部４は、この放送局の情報に基づいて、選局された放送局に係るＯＦＤＭ信号をＯＦＤＭ復調部５に出力することになる。尚、アンテナ３及びチューナー部４は、例えば受信手段として機能する。また、操作部１８は、例えば選局手段として機能するものである。
【００１９】
ここで、ＯＦＤＭ信号とは、複数の階層のＴＳが周波数上のセグメントに割り振られて中継局より一括伝送される際に生成されたものである。ＯＦＤＭ復調部５は、このＯＦＤＭ信号を復調してＴＳを生成し、ＴＳデコーダ７に出力することになる。
【００２０】
一般に、１セグ放送では、ＭＰＥＧ(Moving Picture Experts Group)２システムで規定されるＴＳという形式で映像や音声などが多重化したストリームが伝送されるが、ＴＳは伝送のし易さを考慮して１８８バイトの固定長パケット（ＴＳパケット）の列で構成されている。そして、映像や音声などの時間に同期して再生する必要があるデータ列は、ＥＳ(Elementary Stream)の形式でＴＳパケットのペイロードに格納されている。
【００２１】
ＴＳデコーダ７は、ＴＳを音声や映像などのＥＳ、つまり圧縮された個々の音声データ列や映像データ列に分離する。この音声ＥＳ、映像ＥＳは、音声デコーダ８、映像デコーダ１０で復号され、音声信号、映像信号に変換される。音声信号は、スピーカやイヤホンからなる音声出力部９にて再生出力され、映像信号は表示処理部１１で画像処理された後に、ＬＣＤ(Liquid Crystal Display)等の表示部１２の画面に表示される。ＴＳデコーダ７、音声デコーダ８、映像デコーダ１０は、ハードウェア回路或いはソフトウェアのいずれかにより実現されるものであり、本実施の形態では双方を概念上含む。
【００２２】
尚、ＴＳデコーダ７では、音声や映像のＥＳ以外に、データ放送のストリームも取り出す場合がある。このデータ放送のストリームは、ＲＡＭ１４上に転送・蓄積された後、ＣＰＵ１上で動作する放送ブラウザなどのソフトウェアにより、データ放送画面を表示処理して表示１２の画面に表示する。通信Ｉ／Ｆ１６、通信部１９は、主にデータ放送で使用するものであり、１セグのディジタル放送受信機では、必須とはならない。
【００２３】
ここで、図２には、クロック生成部２の構成例を示し説明する。
【００２４】
この図２に示されるように、クロック生成部２は、複数の周波数候補のクロック信号を生成するように動作する。クロック生成部２は、例えば、発振器２１と、ｎ個のクロック生成回路２２−１乃至２２−ｎと、選択回路２３からなる。発振器２１には水晶発振素子が使用される。クロック生成回路２２−１乃至２２−ｎは、発振器２１によって発振された基準周波数のクロック信号を所定の分周比及び逓倍数で信号処理して所定のクロック信号を生成する。選択回路２３は、ＣＰＵ１の選択に基づいて、これらｎ個のクロック生成回路２２−１乃至２２−ｎの出力の中から任意のクロック信号を選択する。この構成によれば、選択されたチャンネルに好適なクロック信号を選択することができる。尚、この図２の構成は一例であって、これに限定されないことは勿論である。
【００２５】
以下、本実施の形態に係るディジタル放送受信機による特徴的な動作を説明する。
【００２６】
図３に示されるように、地上ディジタル放送では、１チャンネル分の帯域幅６ＭＨｚを１４等分して、そのうちの１３のブロックを使い放送を行い（各４２９ＭＨｚ）、他の１のブロックを隣接するチャンネルとの混信を防止するガードバンドとして用いている。
【００２７】
即ち、ＩＳＤＢ−ｔ(Integrated Services Digital Broadcasting-Terrestrial)の放送波は、５．６ＭＨｚ帯域で６ＭＨｚ間隔で配置される。そして、このうち、中央のセグメントだけを受信できるといった特別な仕組みになっているが、この中央のセグメントだけを使う放送が１セグ放送である。この中央のセグメントは「部分受信」、つまり１セグ放送にも用いられる。つまり、ＩＳＤＢ−ｔでは、セグメント方式を採用しており、図４のようにセンターに１セグのセグメントが配置され、残りの部分に１２セグメントのセグメントが配置される。この１２セグメントの部分は、１セグの受信では不要となるため、図３の周波数配置は１セグに限ってみると、図５に示されるようになる。
【００２８】
このことから、本実施の形態では、図６に示されるように、クロック信号の高調波による妨害波を１セグの放送波の受信帯域から外れた位置にシフトする。
【００２９】
即ち、本実施の形態では、１セグの放送波と放送波の略中央（ガードバンド部分）に位置するようにすれば妨害を排除できることに着目した。
【００３０】
例えば、クロック信号が２６６ＭＨｚである場合、その２倍波である５３２ＭＨｚの高調波が２３チャンネル（５３３ＭＨｚ）の近傍に現れ、２３チャンネルに妨害を与えることが解るが、本実施の形態では、例えばクロック信号を２６６ＭＨｚから２６５ＭＨｚに変更し、２倍波を５３０ＭＨｚとし、影響を最小化するものである。
【００３１】
いま、図７には、受信チャンネルと周波数下限（ＭＨｚ）、周波数上限（ＭＨｚ）、中心周波数（即ち、１セグ）（ＭＨｚ）の関係を示す。そして、図８には、受信チャンネル２３、４５について、その中心周波数とクロック信号の周波数の高調波、下側中心周波数との差、上側中心周波数との差を、クロック信号の周波数が１３３ＭＨｚと１３３−１１／２１ＭＨｚとの場合とで比較して示す。これらの図からも明らかなように、ディジタルのクロック周波数が１３３ＭＨｚの場合、クロックの高調波の４倍及び５倍の高調波がＵＨＦ帯域に入り、４倍は２３ｃｈに、５倍は４５ｃｈに影響を与えることがわかる。
【００３２】
そこで、本実施の形態に係るディジタル放送受信機では、この１３３ＭＨｚのクロックを１３３−１１／２１ＭＨｚに変更する。これにより、４倍と５倍の高調波は、共に１セグのチャンネル間の中央に位置することになる。これにより、１セグ放送波に対する、４、５倍の高調波による妨害を最小限にするものである。
【００３３】
以上は一例であり、各クロック信号の周波数の高調波（２倍、４倍・・・）と中心周波数（１セグ）との関係は整理されて、テーブルで管理されている。このテーブルは、例えばＲＯＭ１３等に予め記憶されているので、ＣＰＵ１は、適宜、当該テーブルを参照することで、適切なクロック周波数を選定することができる。
【００３４】
このように、本実施の形態に係るディジタル放送受信機は、以下の特徴を有する。
【００３５】
即ち、ＣＰＵ１の制御の下、クロック生成部２が、高調波が、特定のセグメントの周波数とは異なる周波数となるクロック信号を生成し出力する。つまり、この場合、セグメント方式を採用した放送波の特定のセグメントの周波数にクロック周波数の高調波が悪影響を及ぼすのを防止するようクロック周波数が設定されることになる。
【００３６】
或いは、ＣＰＵ１の制御の下、クロック生成部２が、高調波が、一の部分受信に係るセグメントの周波数と他の部分受信に係るセグメントの周波数との間に位置する周波数となるクロック信号を生成し出力する。この場合、その周波数の高調波が、１のチャンネルに係る部分受信のセグメントとその前後のチャンネルに係る部分受信のセグメントの周波数の例えば略中央、例えばガードバンド部分に位置するようクロック周波数が設定されるので、その高調波が部分受信に悪影響を及ぼすのを未然に防止することができる。
【００３７】
また、ＣＰＵ２の制御の下、クロック生成部２が、高調波が、部分受信に係るセグメントの周波数とは異なるクロック信号を生成し出力する。これは、高調波が、そもそも部分受信のセグメントの周波数と合致しないように周波数を設定する考え方である。
【００３８】
或いは、ＣＰＵ２の制御の下、クロック生成部２が、高調波が、複数のチャンネルに対応した部分受信に係るセグメントの周波数とは異なる周波数となるクロック信号を生成し出力する。この場合、クロック周波数の高調波（２倍、４倍・・）が複数のチャンネルの部分受信のセグメントの周波数に悪影響を与えるのを防止すべく、複数の部分受信のセグメントを考慮しつつ影響を最小限に抑えたクロック信号を生成し出力する。
【００３９】
この他、クロック生成部２は、その周波数の高調波が、上記選局手段により選局されたチャンネルに対応した部分受信に係るセグメントの周波数とは異なる周波数となるクロック信号を生成し出力する。これについては、図９で後述する。
【００４０】
次に、図９のフローチャートを参照して、本発明の一実施の形態に係るディジタル放送受信機によるクロック周波数の設定処理について詳細に説明する。
【００４１】
ここでは、選局されたチャンネルに対応した部分受信に係るセグメントの周波数との関係でクロック信号の周波数を定める場合の一連の処理を更に詳細に説明する。
【００４２】
本処理を開始すると、ＣＰＵ１は、１セグ放送が選択されているか否かを判断する（ステップＳ１）。ここで、１セグ放送が選択されていないと判断した場合には、他の処理へ移行し（ステップＳ８）、処理を終了する。一方、１セグ放送が選択されていると判断した場合には、チャンネル設定済みであるか否かを判断する（ステップＳ２）。
【００４３】
ここで、チャンネル設定がなされていないと判断した場合には、ＣＰＵ１は、自動チャンネル設定の処理を実行し（ステップＳ３）、ステップＳ４に移行する。チャンネル設定済みであると判断した場合にはそのままステップＳ４に進む。このステップＳ４では、視聴チャンネルが操作部１８の操作により選択されているか否かを判断し（ステップＳ４）、選択されると、ＣＰＵ１は、当該チャンネルにて受信する場合に高調波の影響を回避するクロック周波数を選択し（ステップＳ５）、１セグ放送の視聴を開始する（ステップＳ６）。こうして、視聴終了が選択されると（ステップＳ７）、処理を終了する。
【００４４】
前述したように、ＣＰＵ１は、クロック信号があるクロック周波数に設定された場合にその高調波が悪影響を与える受信チャンネルの情報をテーブルで管理している。換言すれば、ある受信チャンネルでの視聴をする場合に、設定してはならない、つまり高調波の影響が当該受信チャンネルに現れるクロック信号の周波数をテーブルで管理している。
【００４５】
従って、前述した処理の過程で、視聴が所望される場合に、選択してはならないクロック信号の周波数は当該テーブルを参照すれば容易に検出でき、当該クロック信号の周波数を除く形で設定するのが、上記処理の特徴である。
【００４６】
以上、本発明の実施の形態について説明したが、本発明はこれに限定されることなくその趣旨を逸脱しない範囲で種々の改良・変更が可能であることは勿論である。
【００４７】
例えば、上記実施の形態では、１３セグメントの中央に１セグ用のセグメントが位置付けられる例を挙げて説明したが、これに限定されず、他の１又はそれ以上のセグメントに１セグ用のセグメントが位置付けられる場合にも適用可能である。
【図面の簡単な説明】
【００４８】
【図１】本発明の一実施の形態に係るディジタル放送受信機の構成を示す図。
【図２】クロック生成部の構成例を示す図。
【図３】地上ディジタル放送波（セグメント方式）の構成を示す図。
【図４】１セグのセグメントによる部分受信について説明するための図。
【図５】１セグの放送波と放送波の間隔を説明するための図。
【図６】クロック信号の高調波による妨害波を説明するための図。
【図７】ＵＨＦ帯域の受信チャンネルと周波数との関係を示す図。
【図８】受信チャンネルとの関係で高調波の影響を回避するためのクロック周波数の設定について説明するための図。
【図９】本発明の一実施の形態に係るディジタル放送受信機によるクロック周波数の設定処理について詳細に説明するフローチャート。
【符号の説明】
【００４９】
１…ＣＰＵ、２…クロック生成部、３…アンテナ、４…チューナー部、５…ＯＦＤＭ復調部、６…チューナーＩ／Ｆ、７…ＴＳデコーダ、８…音声デコーダ、９…音声出力部、１０…映像デコーダ、１１…表示処理部、１２…表示部、１３…ＲＯＭ、１４…ＲＡＭ、１５…ＥＥＰＲＯＭ、１６…通信Ｉ／Ｆ、１７…キーＩ／Ｆ、１８…操作部、１９…通信部、２０…制御バス
【図１】
2008283362.tif 000003
【図２】
2008283362.tif 000004
【図３】
2008283362.tif 000005
【図４】
2008283362.tif 000006
【図５】
2008283362.tif 000007
【図６】
2008283362.tif 000008
【図７】
2008283362.tif 000009
【図８】
2008283362.tif 000010
【図９】
2008283362.tif 000011